(57)【要約】    【課題】  複数の線材を束ねて被取り付け体に取り付ける際の作業性を良好にすると共に、結束部分をコンパクトにする。    【解決手段】  １つのシート体５０は、粘着シート５１と剥離紙５４、５５とで成る。粘着シート５１は、ポリエチレンフィルム５２に透明な粘着剤５３が塗布されて構成される。ポリエチレンフィルム５２の第１面５２ａのうち、粘着剤５３が塗布された中間部５１ｂ及び幅狭延設部５１ｃに該当する部分が粘着面５２ａｂ、５２ａｃとなっている。粘着シート５１の粘着面５２ａｂをベース体４０に接着し、粘着シート５１を環状部が形成されるように丸めてファイバ全束ＡＦＢを包み、粘着シート５１の粘着面５２ａｃに、第２面５２ｂのうち幅広延設部５１ａの部分を接着する。そのとき、非粘着面５２ａａが外部に露出する。【選択図】      図３
2006087199.tif 000002
【特許請求の範囲】
【請求項１】
複数の線材を束ねた状態で被取り付け体に取り付けるための束線用シートであって、
前記複数の線材を巻いて束ねるための環状部を形成、維持するための第１粘着部と、
前記第１粘着部により前記環状部が形成されたとき、該環状部の外周側に位置して前記被取り付け体に対して接着されることで当該束線用シートを前記被取り付け体に取り付けるための第２粘着部と、
前記第１粘着部により前記環状部が形成され且つ前記第２粘着部により当該束線用シートが前記被取り付け体に取り付けられたとき、外部に露出する非粘着部とを有することを特徴とする束線用シート。
【請求項２】
前記第１、第２粘着部は、共に、当該束線用シートの同一面側に設けられたことを特徴とする請求項１記載の束線用シート。
【請求項３】
前記第１、第２粘着部は、前記同一面側において連続して一体に設けられたことを特徴とする請求項２記載の束線用シート。
【発明の詳細な説明】
【技術分野】
【０００１】
本発明は、複数の線材を束ねた状態で被取り付け体に固定状態にするための束線用シートに関する。
【背景技術】
【０００２】
従来、電線や光ファイバ等の線材を複数束ねてまとめる際、テープ等を用いることが一般に行われている。例えば、下記特許文献１では、非粘着テープで線材群を複数回巻き付け、該非粘着テープの巻終端を粘着テープで巻いて線材群を固定するようにしている。
【０００３】
また、線材群を、ひも状部材で縛るようにして線材群を束ねることも考えられる。
【特許文献１】特開平８−２４９９３５号公報
【発明の開示】
【発明が解決しようとする課題】
【０００４】
しかしながら、上記特許文献１では、束ねた線材群を、楽器や自動車の車体等において、台座、パネル、ビーム等の被取り付け体に対して取り付けることを想定しておらず、このことをも考慮した上で作業性を向上させる上で改善の余地があった。
【０００５】
また、上記のように、線材群を、ひも状部材で縛るようにした場合は、ひも状部材で縛った結束部分が結び目によって嵩むことから、例えば、カバー等の他の部材が被せられる場合、スペースの無駄が発生するだけでなく、結束部分にカバー等が干渉する場合は、線材群が圧迫される。特に、線材が光ファイバである場合は、圧迫により変形し、光量ロスの発生を招くという問題が生じる。
【０００６】
本発明は上記従来技術の問題を解決するためになされたものであり、その目的は、複数の線材を束ねて被取り付け体に取り付ける際の作業性を良好にすると共に、結束部分をコンパクトにすることができる束線用シートを提供することにある。
【課題を解決するための手段】
【０００７】
上記目的を達成するために本発明の請求項１の束線用シートは、複数の線材（２、３）を束ねた状態で被取り付け体（４０）に取り付けるための束線用シート（５１、６１）であって、前記複数の線材を巻いて束ねるための環状部を形成、維持するための第１粘着部（５２ａｃ、６２ａｃ）と、前記第１粘着部により前記環状部が形成されたとき、該環状部の外周側に位置して前記被取り付け体に対して接着されることで当該束線用シートを前記被取り付け体に取り付けるための第２粘着部（５２ａｂ、６２ａａ）と、前記第１粘着部により前記環状部が形成され且つ前記第２粘着部により当該束線用シートが前記被取り付け体に取り付けられたとき、外部に露出する非粘着部（５２ａａ、６２ａｂ）とを有することを特徴とする。
【０００８】
上記請求項１の構成において、好ましくは、前記第１、第２粘着部は、共に、当該束線用シートの同一面（５２ａ、６２ａ）側に設けられる（請求項２）。さらには、前記第１、第２粘着部は、前記同一面側において連続して一体に設けられる（請求項３）。これらによれば、第１、第２粘着部を片側から同時に一体のものとして設けることができ、製造が容易である。
【０００９】
なお、上記括弧内の符号は例示である。
【発明の効果】
【００１０】
本発明によれば、複数の線材を束ねて被取り付け体に取り付ける際の作業性を良好にすると共に、結束部分をコンパクトにすることができる。
【発明を実施するための最良の形態】
【００１１】
以下、本発明の実施の形態を図面を参照して説明する。
【００１２】
（第１の実施の形態）
図１は、本発明の第１の実施の形態に係る束線用シートが適用される光学検出装置の部分平面図である。本実施の形態では、押離鍵動作を検出するための光学検出装置を、自動演奏ピアノや消音演奏ピアノ等の鍵盤楽器に搭載し、この光学検出装置に本束線用シートを適用した構成を例示する。
【００１３】
上記光学検出装置は、主として発光部ユニット１０及び受光部ユニット１９のほか、いずれも複数の発光側ヘッド２０、受光側ヘッド３０及び光ファイバ２、３を含んで構成される。以降、図１の下側を前方、右側を右方と呼称する。なお、図示はしないが、後側ベース部４０ｃ、中央ベース部４０ａ及び前側ベース部４０ｂから成るベース体４０の下方において、鍵、及び各鍵に対応するハンマを含んだアクション機構部が設けられ、これらが同図左右方向（鍵の並び方向）に並列的に配列されている。
【００１４】
後側ベース部４０ｃ上には、発光側ヘッド２０及び受光側ヘッド３０が、鍵の並び方向に沿って交互に配設される。前側ベース部４０ｂ上には、発光部ユニット１０及び受光部ユニット１９のほか、図示しない基板等が配置される。発光側ヘッド２０及び受光側ヘッド３０の各々には、光ファイバ２、３の一端部２ａ、３ａが１本ずつ接続され、各光ファイバ２、３は束ねられてファイバ全束ＡＦＢとなる。
【００１５】
ファイバ全束ＡＦＢは、中央ベース部４０ａの右部に設けられた集約保持部４１で集約されて、発光部ユニット１０及び受光部ユニット１９に向かい、各光ファイバ２、３の他端部が複数本（例えば５本）の光ファイバ２、３の束ＦＢ（以下、「ファイバ束ＦＢ（２）、ＦＢ（３）」と称する）に束ねられて振り分けられ、各ファイバ束ＦＢ（２）、（３）が発光部ユニット１０及び受光部ユニット１９の複数の各挿入穴１０ａ、１７ａに接続されている。
【００１６】
発光部ユニット１０は、上記ファイバ束ＦＢ（２）に対応してＬＥＤ等の不図示の発光部を備え、この発光部が発光することで、対応するファイバ束ＦＢ（２）に対して検出用光を入射させる。この検出用光が、光ファイバ２、３、発光側ヘッド２０及び受光側ヘッド３０を介して受光部ユニット１９へ導かれる。受光部ユニット１９は、各ファイバ束ＦＢ（３）に対応するフォトトランジスタ等の不図示の受光部を複数備え、各受光部が、受光量に応じた電流値を出力する。押離鍵動作がされると、発光側ヘッド２０と受光側ヘッド３０との間の光路を、上記ハンマに取り付けられた不図示のシャッタが横断するようになっており、受光部ユニット１９の上記各受光部の受光量の変化により、押離鍵動作が検出される。発光部ユニット１０の発光部の発光は極めて短い周期でなされ、光パルスとなって、キースキャン信号として機能する。キースキャンの手法としては、特開平９−１５２８７１号公報等に開示されている公知の手法を用いることができる。
【００１７】
ファイバ全束ＡＦＢは、ベース体４０の複数の適所において、束線用シートとしての複数の粘着シート５１でベース体４０に対して取り付けられる。
【００１８】
図２（ａ）は、１つのシート体の平面図、同図（ｂ）は、同シート体の側面図、同図（ｃ）は同シート体の斜視図である。
【００１９】
同図（ｂ）、（ｃ）に示すように、１つのシート体５０は、粘着シート５１と剥離紙５４、５５とで成る。同図（ａ）に示すように、粘着シート５１は、中間部５１ｂと、該中間部５１ｂから延設された幅広延設部５１ａ及び幅狭延設部５１ｃとで成り、弾性を有する薄い透明材であるポリエチレンフィルム５２に透明な粘着剤５３が塗布されて構成される。ポリエチレンフィルム５２の厚みは約０．０６ｍｍである。同図（ｂ）に示すように、ポリエチレンフィルム５２の第１面５２ａのうち、粘着剤５３が塗布された中間部５１ｂ及び幅狭延設部５１ｃに該当する部分は、粘着面５２ａｂ、５２ａｃとなっている。これら粘着面５２ａｂ、５２ａｃには、剥離紙５４、５５が貼られている。粘着剤５３は、中間部５１ｂから幅狭延設部５１ｃにかけて一体に設けられ、粘着面５２ａｂから粘着面５２ａｃまでが連続しているが、剥離紙５４、５５は分離されており、各々単独で剥がせるようになっている。同図（ａ）に示すように、幅広延設部５１ａの幅Ａは、幅狭延設部５１ｃの幅Ｂよりも大きい。
【００２０】
１つのシート体５０を作成する際には、例えば、剥離紙５４、５５と粘着剤５３とが貼着された両面テープを予め作成しておき、この両面テープの粘着側の面をポリエチレンフィルム５２の第２面５２ｂのうち中間部５１ｂ及び幅狭延設部５１ｃに相当する部分に貼る。これと前後して、剥離紙５４と剥離紙５５との分離切断処理を行う。好ましくは、複数分のシート体５０を賄える大きさのポリエチレンフィルムに、対応する大きさの両面テープを貼った後で、個々のシート体５０を切り出すようにしてもよい。
【００２１】
図３（ａ）は、粘着シート５１を用いたファイバ全束ＡＦＢの結束状態を示す外観図である。同図（ｂ）は、ファイバ全束ＡＦＢの結束部分を模式的に示す側面図である。
【００２２】
ファイバ全束ＡＦＢの配設及びベース体４０への取り付け、固定作業は、次のようにしてなされる。まず、各シート体５０から剥離紙５４だけを剥がし、ベース体４０において適当な間隔を保って（図１参照）、各粘着シート５１の粘着面５２ａｂをベース体４０に対して接着する。次に、ファイバ全束ＡＦＢを、図１に示すように、右側で湾曲させ、ベース体４０上において粘着シート５１の上に位置するように配設する。このとき、ファイバ全束ＡＦＢは集約保持部４１で拘束されるので、配設作業が容易である。なお、配設時において２カ所以上でファイバ全束ＡＦＢを拘束するようにしてもよい。
【００２３】
次に、光ファイバ２、３の一端部２ａ、３ａを発光側ヘッド２０及び受光側ヘッド３０に接続すると共に、ファイバ束ＦＢ（２）、（３）を、発光部ユニット１０及び受光部ユニット１９の各挿入穴１０ａ、１７ａに挿入することで、光ファイバ２、３、ファイバ束ＦＢ（２）、（３）を仮固定状態とする。後述するように、これらの最終的な固定は、可視光硬化型の接着剤により、可視光を照射することでなされる。
【００２４】
次に、各シート体５０から剥離紙５５を剥がし、図３（ａ）、（ｂ）に示すように、各粘着シート５１の第２面５２ｂを内側として環状部を形成し、この環状部でファイバ全束ＡＦＢを包む。すなわち、幅広延設部５１ａ及び幅狭延設部５１ｃを曲げて、粘着面５２ａｃに、第２面５２ｂのうち幅広延設部５１ａの部分を接着して留め、形成された環状部を維持する。このとき、幅広延設部５１ａの幅Ａが幅狭延設部５１ｃの幅Ｂよりも大きいので、幅狭延設部５１ｃが、ファイバ全束ＡＦＢの長手方向に多少ずれても、幅広延設部５１ａに確実に接着され、両者の接着作業が容易である。
【００２５】
このようにして、すべての粘着シート５１についてファイバ全束ＡＦＢを巻いて保持することで、ファイバ全束ＡＦＢがベース体４０に対して固定状態となる。このとき、各粘着シート５１において、第１面５２ａのうち幅広延設部５１ａに対応する部分が、外部に露出し且つ粘着剤５３が存在しない「非粘着面５２ａａ」（図２（ｂ）も参照）となる。
【００２６】
その後、発光側ヘッド２０、受光側ヘッド３０、発光部ユニット１０及び受光部ユニット１９の各々の不図示の注入穴から、透明な可視光硬化型接着剤（図示せず）を注入し、外部から可視光を照射して、その可視光硬化型接着剤を硬化させることで、仮固定した光ファイバ２、３、ファイバ束ＦＢ（２）、（３）を、発光側ヘッド２０、受光側ヘッド３０、発光部ユニット１０及び受光部ユニット１９に対して固定する。このとき、粘着シート５１において、ポリエチレンフィルム５２及び粘着剤５３が透明であるので、上記可視光が光学検出装置の広範囲に亘って照射された場合であっても、シート５１が吸熱しない。これにより、粘着シート５１が溶けたり変形したりすることが回避される。なお、光ファイバ２、３を固定するために用いる接着剤は、可視光硬化型に限定されるものでなく、ＵＶ（紫外線）照射により凝固する性質を有するものでもよい。
【００２７】
本実施の形態によれば、粘着シート５１を環状部が形成されるように丸めてファイバ全束ＡＦＢを包み、粘着シート５１の粘着面５２ａｃに、第２面５２ｂのうち幅広延設部５１ａの部分を接着したとき、上記環状部が維持されると共に、粘着シート５１の粘着面５２ａｂが上記環状部の外周側に位置してベース体４０に接着される。しかも、非粘着面５２ａａが外部に露出して、無用な接着部が必要以上に外部に露出することがない。よって、光ファイバ２、３を束ねてベース体４０に取り付ける際の作業性を良好にすることができる。さらには、粘着シート５１は薄く、結束部分もかさばらないので、ひも等で縛る場合に比し結束部分をコンパクトにすることができる。特に厚み乃至高さが制限される箇所において結束が必要な場合に好適である。
【００２８】
しかも、粘着シート５１でファイバ全束ＡＦＢを余裕をもって包むことで、上方からカバー部材が被せられたときでも、個々の光ファイバ２、３が圧迫されることがなく、変形による光量ロスの発生を抑制することができる。また、粘着シート５１が形成する上記環状部の大きさは、ファイバ全束ＡＦＢの外径に応じて調節容易であるので、鍵盤楽器の機種によってファイバ数が異なる等の場合においても対応が容易である。
【００２９】
また、粘着面５２ａｂ、５２ａｃは、共に、粘着シート５１の同一面側である第１面５２ａに設けられ、しかも粘着面５２ａｂ、５２ａｃは連続して一体に設けられたので、上記したような製法等によって、粘着剤５３を片側から一体のものとして同時に塗布することが可能で、工程を簡略化可能である。これにより、シート体５０乃至粘着シート５１の製造が容易となる。
【００３０】
さらに、剥離紙５４、５５は各々単独で剥がせるので、粘着シート５１をベース体４０に接着する作業とファイバ全束ＡＦＢを包んで保持する作業とを１つ１つ確実に行うのに都合がよい。
【００３１】
なお、ファイバ全束ＡＦＢをベース体４０に取り付け、固定するという機能を最低限果たす上では、個々の粘着シート５１に剥離紙５４、５５が設けられている必要は必ずしもなく、例えば、剥離紙に相当する大きな紙に、複数の粘着シート５１が貼着された状態で粘着シート５１が提供されるように構成してもよい。
【００３２】
なお、ポリエチレンフィルム５２及び粘着剤５３は透明であるとしたが、光ファイバ２、３を固定する接着剤を硬化させるために照射される光による熱の発生が少ない色であれば、透明に限定されない。例えば、白色等の淡色系がよく、赤外線を吸収しやすい濃色系を避けるのが望ましい。
【００３３】
なお、シート体５０乃至粘着シート５１の製造容易の効果の点では劣るが、粘着面５２ａｂ、５２ａｃは分離し、離れた箇所に設けてもよい。また、本実施の形態では、粘着面５２ａｃと、第２面５２ｂのうち幅広延設部５１ａの部分とを接着したが、粘着剤５３を、粘着面５２ａｃに代えて、第２面５２ｂのうち幅広延設部５１ａの部分に設けることで、両者を接着できるようにしてもよい。
【００３４】
なお、粘着シート５１において、弾性または塑性により変形可能なシート状部材であれば、ポリエチレンフィルム５２に代えて採用可能である。
【００３５】
なお、粘着シート５１で束ねられる線材は、光ファイバ２、３に限られず、電線等でもよい。また、適用される装置も鍵盤楽器に限られず、自動車等、線材の固定が必要とされる各種装置への適用が考えられる。
【００３６】
（第２の実施の形態）
図４（ａ）は、本発明の第２の実施の形態に係る粘着シートの平面図、同図（ｂ）は同粘着シートの側面図である。図４（ｃ）、（ｄ）は、同粘着シートによるファイバ全束ＡＦＢの結束部分を模式的に示す側面図である。
【００３７】
図４（ａ）、（ｂ）に示すように、本実施の形態の粘着シート６１は、上記第１の実施の形態の粘着シート５１に比し、平面視形状と、粘着剤が塗布される位置が異なる。粘着シート６１は、平面視Ｔ字状をなし、中間部６１ｂと、該中間部６１ｂから延設された幅広延設部６１ａと、中間部６１ｂと同幅の延設部６１ｃとで成る。ポリエチレンフィルム６２の第１面６２ａにおいて、粘着剤６３（６３ａ、６３ｃ）が互いに離間して塗布され、それらの部分が粘着面６２ａａ、６２ａｃとなっている。粘着面６２ａａ、６２ａｃには、剥離紙６４、６５が貼られている。
【００３８】
かかる構成において、ファイバ全束ＡＦＢを束ねてベース体４０に取り付ける態様は２つ考えられる。まず、同図（ｃ）に示すように、粘着面６２ａａをベース体４０に接着すると共に、粘着シート６１の第２面６２ｂを内側として形成した環状部でファイバ全束ＡＦＢを包む。そして、粘着面６２ａｃと、第２面６２ｂのうち幅広延設部６１ａの部分とを接着することで、上記環状部を維持してファイバ全束ＡＦＢを保持する。
【００３９】
あるいは、同図（ｄ）に示すように、同図（ｃ）の例に対して、粘着面６２ａｃを、第２面６２ｂのうち幅広延設部６１ａの部分と接着する代わりに、粘着面６２ａｃを、ベース体４０に接着する。
【００４０】
このように、いずれの態様によっても、ファイバ全束ＡＦＢをベース体４０に固定状態にすることができる。そのとき、粘着シート６１において、第１面６２ａのうち中間部６１ｂに対応する部分が、外部に露出し且つ粘着剤６３が存在しない「非粘着面６２ａｂ」となる。
【００４１】
本実施の形態によれば、第１の実施の形態において粘着面５２ａｂ、５２ａｃが連続して一体に設けられたことによる粘着シート５１の製造容易の効果を除き、第１の実施の形態と同様の効果を奏することができる。
【図面の簡単な説明】
【００４２】
【図１】本発明の第１の実施の形態に係る束線用シートが適用される光学検出装置の部分平面図である。
【図２】１つのシート体の平面図（図（ａ））、側面図（図（ｂ））及び斜視図（図（ｃ））である。
【図３】粘着シートを用いたファイバ全束の結束状態を示す外観図（図（ａ））、及びファイバ全束の結束部分を模式的に示す側面図（図（ｂ））である。
【図４】本発明の第２の実施の形態に係る粘着シートの平面図（図（ａ））、側面図（図（ｂ））、及び同粘着シートによるファイバ全束の結束部分を模式的に示す側面図（図（ｃ）、（ｄ））である。
【符号の説明】
【００４３】
２、３  光ファイバ、  ＡＦＢ  ファイバ全束、  ４０  ベース体（被取り付け体）、  ５０  シート体、  ５１、６１  粘着シート（束線用シート）、  ５２ａ、６２ａ  第１面、  ５２ｂ、６２ｂ  第２面、  ５２ａａ、６２ａｂ  非粘着面（非粘着部）、  ５２ａｂ  粘着面（第２粘着部）、  ５２ａｃ  粘着面（第１粘着部）、  ５３、６３  粘着剤、  ５４、５５、６４、６５  剥離紙、  ６２ａａ  粘着面（第２粘着部）、  ６２ａｃ  粘着面（第１粘着部）
【図１】
2006087199.tif 000003
【図２】
2006087199.tif 000004
【図３】
2006087199.tif 000005
【図４】
2006087199.tif 000006